(57)【特許請求の範囲】
【請求項１】
複数のトイレと、ネットワークを介して前記トイレと接続した情報配信サーバとを有するトイレシステムであって、
前記情報配信サーバが、
配信情報を提供する提供者の端末から配信情報を取得する配信情報取得部と、
前記配信情報の配信条件として、前記トイレの使用段階を含む条件を取得する条件取得部と、
前記配信情報の配信のために前記提供者が支払う費用の総額を示す費用情報を取得する費用取得部と、
前記提供者が支払う費用の総額と前記使用段階毎に定められた価格とに基づき、前記総額に達するまでに出力可能な前記配信の回数を求めて定限情報とし、当該定限情報の範囲で前記配信情報を前記配信条件に応じたトイレへ配信する配信部と、
前記トイレが、
前記配信情報を取得する配信情報取得部と、
前記トイレを利用する利用者が前記トイレに入室したときから排便を開始するまでを第１段階とし、排便中を第２段階とし、排便終了から退室までを第３段階として、前記使用段階を検出する検出部と、
前記使用段階に応じて前記配信情報を前記利用者に対して出力する出力部と、
を有する情報配信機能を有したトイレシステム。
【請求項２】
前記配信条件が、前記トイレの立地、前記利用者の性別、又は前記利用者の年代の少なくとも一つを含む請求項１に記載の情報配信機能を有したトイレシステム。
【請求項３】
前記配信情報の出力回数をカウントし、当該出力回数を含む出力結果を前記提供者の端末へ送信する出力結果送信部を更に備えた請求項１又は２に記載の情報配信機能を有したトイレシステム。
【請求項４】
前記トイレの便器に洗浄水を流したタイミングに基づいて、前記出力部が、前記配信情報の出力をテロップの表示によって行う請求項１〜３の何れか１項に記載の情報配信機能を有したトイレシステム。
【発明の詳細な説明】
【技術分野】
【０００１】
本発明は、情報配信機能を有したトイレシステムに関する。
【背景技術】
【０００２】
従来、ユーザのトイレ利用段階に応じてユーザに情報を提供するトイレシステムが提案されていた。例えば、表示手段と、各種センサと、制御部とを備え、制御部は、トイレ利用者がトイレに入室したときから排便を開始するまでの第１段階、排便中の第２段階、排便終了から退室までの第３段階、の各段階に異なる表示を行わせるトイレ用表示システムが挙げられる（特許文献１を参照）。
【先行技術文献】
【特許文献】
【０００３】
【特許文献１】特許第３７７３３１２号公報
【特許文献２】特許第５３２５４６３号公報
【発明の概要】
【発明が解決しようとする課題】
【０００４】
従来、ユーザのトイレ利用段階に応じてユーザに情報を提供するトイレシステムは提案されていたが、情報提供者が希望する条件に応じて情報を提供できるトイレシステムは存在しなかった。そこで、本発明は、所定の条件に応じて情報を提供できるトイレシステムを実現することを目的とする。
【課題を解決するための手段】
【０００５】
本発明に係るトイレシステムは、
複数のトイレと、ネットワークを介して前記トイレと接続した情報配信サーバとを有するトイレシステムであって、
前記情報配信サーバが、
配信情報を提供する提供者の端末から配信情報を取得する配信情報取得部と、
前記配信情報の配信条件を取得する条件取得部と、
前記配信情報の配信のために前記提供者が支払う費用を示す費用情報を取得する費用取得部と、
前記費用情報に応じた配信の回数、期間、又はデータ量の少なくとも一つを定限情報とし、当該定限情報の範囲で前記配信情報を前記配信条件に応じたトイレへ配信する配信部と、
前記トイレが、
前記配信情報を取得する配信情報取得部と、
前記トイレを利用する利用者の利用状況を検出する検出部と、
前記利用状況に応じて前記配信情報を前記利用者に対して出力する出力部と、
を有する。
【０００６】
前記トイレシステムは、前記配信条件が、前記トイレの立地、前記利用者の性別、又は前記利用者の年代の少なくとも一つであっても良い。
【０００７】
前記トイレシステムは、前記費用情報が、前記トイレの立地、前記利用者による利用状況、前記配信情報を出力する順序、又は配信する時間帯の少なくとも一つと対応する価格を示す価格条件と、前記提供者が支払う費用の総額とを有し、
前記配信部が、前記価格条件に基づく金額で配信情報の出力を行う場合に、前記総額に
達するまでに出力できる回数や期間、データ量の少なくとも一つを定限情報としても良い。
【０００８】
前記トイレシステムは、前記配信情報の出力回数をカウントし、当該出力回数を含む出力結果を前記提供者の端末へ送信する出力結果送信部を更に備えても良い。
【０００９】
前記トイレシステムは、前記出力部が、前記配信情報と共に、前記提供者が指定するウェブサーバへのリンク情報を出力しても良い。
【００１０】
前記トイレシステムは、前記トイレの便器に洗浄水を流したタイミングに基づいて、前記出力部が、前記配信情報の出力をテロップの表示によって行っても良い。
【００１１】
なお、上記した課題を解決するための手段に記載の内容は、本発明の課題や技術的思想を逸脱しない範囲で可能な限り組み合わせることができる。
【発明の効果】
【００１２】
本発明によれば、所定の条件に応じて情報を提供するトイレシステムを実現できる。
【図面の簡単な説明】
【００１３】
【図１】システム構成の一例を示す図である。
【図２】トイレの一例を示す図である。
【図３】トイレブースの一例を示す斜視図である。
【図４】モニタの一例を示す図である。
【図５】トイレの一例を示す機能ブロック図である。
【図６】情報配信サーバの一例を示す機能ブロック図である。
【図７】コンピュータの一例を示す装置構成図である。
【図８】情報配信サーバが提供者の端末から配信情報を取得する処理フローである。
【図９】配信情報を配信する処理フローである。
【図１０】配信条件の一例を示すテーブルである。
【図１１】価格条件の一例を示すテーブルである。
【図１２】テロップの表示例を示す図である。
【発明を実施するための形態】
【００１４】
以下、本発明の実施の形態について、図面に基づいて説明する。なお、実施の形態は本発明の一例であり、本発明の構成は以下の例には限られない。
【００１５】
＜システムの構成＞
図１は、本実施の形態に係るシステム全体の構成を示す図である。本実施の形態に係るトイレシステム１０は、複数のトイレ１と、情報配信サーバ２とを含み、これらがインターネット等のネットワーク４を介して相互に接続されている。また、配信情報を提供する提供者の提供者端末５が、ネットワーク４を介して情報配信サーバ２に接続し、配信情報等を登録できるようにしている。
【００１６】
図２は、トイレ１の一例を示す図、図３は、トイレブース１４の一例を示す図、図４は、モニタの一例を示す図である。トイレ１は、例えば百貨店等の商業施設や駅等における、公衆が利用するトイレとして備えられる。例えばトイレ１は、複数の建物の各々や、建物のフロアの各々に備えられる。トイレ１は、複数のトイレブース（便房）１４を備え、各トイレブース１４に便器や温水洗浄装置等のトイレ設備が設けられている。
【００１７】
図２に示すように、トイレ１は、例えば、女性用トイレ１０１、男性用トイレ１０２及
び多目的トイレ１０３に区分されている。女性用トイレ１０１及び男性用トイレ１０２には複数のトイレブース１４が設けられている。図２の多目的トイレ１０３は、一つのトイレブース１４からなる例を示したが、多目的トイレ１０３が、複数のトイレブース１４を有しても良い。ここで、トイレブース１４とは、ドアや壁等で囲まれ、一人ずつ用を足すためのトイレ設備が設けられた空間である。なお、トイレブース１４は、一人で使用することに厳密に限定されるものではなく、介助者や乳幼児が利用者と同時に入室可能なものでも良い。また、トイレブース１４は、簡単な仕切板で仕切られた男性用小便器の設置エリアや幼児用トイレのように完全には囲われていない空間であっても良い。
【００１８】
また、トイレ１は、管理装置１１を備え、管理装置１１が情報配信サーバ２から受信した配信情報を各トイレブース１４において出力させる等の制御を行う。管理装置１１は、後述のようにマイクロコントローラやＣＰＵ（Central Processing Unit）等を備えた情
報処理装置（コンピュータ）である。管理装置１１は、一つで複数のトイレブース１４の制御を行うものであっても良いし、各トイレブース１４に管理装置１１が設けられ、各管理装置が各々のトイレブースの制御を行うものであっても良い。
【００１９】
トイレブース１４は、図３に示すように、便器１２や、温水洗浄装置１３、モニタ１４２、ドアロックセンサ１４３Ａ、排便位置センサ（着座センサ）１４３Ｂ、洗浄センサ１４３Ｃ、コントロールユニット１４０を備えている。なお、ドアロックセンサ１４３Ａ、着座センサ１４３Ｂ及び洗浄センサ１４３Ｃは、本実施形態における検出部の一例である。
【００２０】
モニタ１４２は、例えば図４に示すように、液晶ディスプレイ１９やスピーカ１７等を有する出力部であり、配信情報としての映像や音声を出力することができる。また、モニタ（出力部）１４２は、近距離無線通信等により利用者の端末に配信情報を送信するための通信モジュールを有しても良い。モニタ１４２の操作パネル１８には、各種のスイッチが設けられている。図４の例では、温水洗浄ボタン１７４、停止ボタン１７７、吐水温度の調節用の温度設定ボタン１７８及び水量調節用の水量調節ボタン１８２、便器洗浄ボタン１７３等が設けられている。
【００２１】
ドアロックセンサ１４３Ａは、ドアのロック状態、即ち利用者の入室を検出するためのものであって、例えばマグネットスイッチが用いられる。利用者がドア１４９を閉めて施錠するとドア１４９のレール上に設けられたロック機構がドア１４９と係合してドア１４９がロックされ、このロックの状態をドアロックセンサ１４３Ａが検知する。
【００２２】
排便位置センサ（着座センサ）１４３Ｂは、トイレ１の利用者が排便位置に達したか否かを検出するセンサである。排便位置センサ１４３Ｂは、洋式便器１２の場合、利用者が便座上に着座したことをもって排便位置に達したと検出する。以下、この着座を検出する排便位置センサ１４３Ｂを着座センサ１４３Ｂと称する。着座センサ１４３Ｂは、例えば便座上に設けられた赤外線センサ等の人感センサ又は便座に設けられた圧力センサであり、ユーザが便座に座ったことを検知する。排便位置センサ１４３Ｂは、和式便器の場合、赤外線センサ等の人感センサであり、利用者が便座上の排便位置に達したことを検出する。
【００２３】
洗浄センサ１４３Ｃは、洗浄水の放出ボタンが押されたこと、即ち、用便後に洗浄水を放出して洗浄したことを検知する。また、洗浄センサ１４３Ｃは、利用者が排便位置から離れて所定時間経過したことをもって洗浄水の放出されたと検知しても良い。
【００２４】
コントロールユニット１４０は、ドアロックセンサ１４３Ａ、着座センサ１４３Ｂ、洗浄センサ１４３Ｃからの入力に基づいて、配信情報をモニタ１４２から出力させる制御等
を行う装置である。なお、図示していないが、モニタ１４２、センサ１４３Ａ，１４３Ｂはそれぞれコントロールユニット１４０と有線又は無線により接続されている。
【００２５】
〈トイレ１の機能説明〉
図５は、トイレ１における情報処理の機能を示す機能ブロック図である。トイレ１は、管理装置１１とトイレブース１４を有し、管理装置１１が複数のトイレブース１４と接続して各トイレブース１４にて出力させる配信情報を管理する。
【００２６】
管理装置１１は、データ記憶部１１１、配信情報取得部１１２、レポート部１１３を有するコンピュータ（情報処理装置）である。
【００２７】
管理装置１１の配信情報取得部１１２は、情報配信サーバ２から配信情報を取得し、データ記憶部１１１に記憶させる。例えば、配信情報取得部１１２は、情報配信サーバ２から送信された配信情報をネットワークを介して受信する構成でも良いし、定期的に情報配信サーバ２にアクセスして配信情報を取得する構成でも良い。
【００２８】
レポート部１１３は、各トイレブース１４で再生した広告の回数を集計し、トイレ１の識別情報と共に情報配信サーバ２へ送信する。
トイレブース１４は、モニタ（出力部）１４２、検出部１４３、コントロールユニット１４０を備えている。
【００２９】
検出部１４３は、トイレ１を利用する利用者の利用状況を検出するセンサであり、本実施形態では、ドアロックセンサ１４３Ａ、着座センサ１４３Ｂ、洗浄センサ１４３Ｃである。
【００３０】
コントロールユニット１４０は、データ記憶部１４１、出力制御部１４４、計数部１４５、タイマ１４６を有している。
【００３１】
データ記憶部１４１は、情報配信サーバ２から受信した配信情報や配信条件を記憶する。
出力制御部１４４は、検出部１４３で検出した利用者による利用状況が前記配信条件を満たす場合に、対応する配信情報をデータ記憶部１４１から読み出してデコードし、映像信号及び音声信号としてモニタ１４２へ送ることにより、モニタ１４２の表示部に表示させると共にスピーカから音声を出力させる。
【００３２】
計数部１４５は、配信情報の出力回数をカウントし、この出力結果を管理装置１１に送信する。なお、コントロールユニット１４０の計数部１４５と、管理装置１１のレポート部１１３とが、本実施形態における出力結果送信部に相当する。
【００３３】
タイマ１４６は、利用者の利用状態の検出や配信情報の出力の制御を行う際、タイミングを計るために用いられる。
【００３４】
〈情報配信サーバ２の機能説明〉
図６は、情報配信サーバ２の機能ブロックを示す図である。情報配信サーバ２は、配信情報取得部２１１や、条件取得部２１２、費用取得部２１３、配信部２１４、データ記憶部２１５、出力結果送信部２１６を有する。
【００３５】
配信情報取得部２１１は、広告等の配信情報を提供する提供者（スポンサー）の端末５から配信情報を取得し、データ記憶部２１５に記憶させる。例えば、配信情報取得部２１１が配信情報を登録するウェブページを提供するウェブサーバとして機能し、当該ページ
に対して端末５から入力された配信情報を受信する構成であっても良い。
【００３６】
同様に、条件取得部２１２は、提供者の端末５から前記配信情報の配信条件を取得し、データ記憶部２１５に記憶させる。例えば、条件取得部２１２が配信条件を登録するウェブページとして、トイレの立地、前記利用者の性別、又は前記利用者の年代を入力するページを提供し、当該ページに対して端末５から入力された配信条件を受信する構成であっても良い。
【００３７】
更に、費用取得部２１３は、前記配信情報の配信のために前記提供者が支払う費用を示す費用情報を取得する。例えば、費用取得部２１３が費用情報を登録するウェブページとして、配信の費用や、費用を算出するための定限情報を入力するページを提供し、当該ページに対して端末５から入力された情報を費用情報とする構成であっても良い。なお、費用を算出するための定限情報は、配信の回数、期間、又はデータ量であっても良い。
【００３８】
配信部２１４は、定限情報の範囲で配信情報を配信条件に応じたトイレへ配信する。情報配信サーバ２は、各トイレ１の立地や利用者の年代等の条件と当該トイレ１の宛先情報を予めデータ記憶部２１５に記憶しておき、配信部２１４が、配信条件と適合する条件のトイレ１を抽出することで、配信するトイレを特定し、当該トイレ１の宛先情報（例えばＩＰアドレス）宛に配信情報を配信する。例えば、トイレ１の立地としては、東京・神奈川・中央区等のような所在地の他、○○デパート３階、○○レストラン、○○中学校、○○大学、○○病院、居酒屋○○のように、どのような施設のトイレかを示すものであっても良い。また、利用者の年代としては学校や学習塾、老人ホーム等のトイレのように、利用者の年代が概ね特定できる場合、子供、小学生、大学性、シニア等のように利用者の年代を条件としても良い。なお、この条件を設定する際、各トイレ１が１００％この条件を満たさなくても良く、学校の近くの駅のトイレのように、子供（学生）の利用する可能性が高い場合に、利用者の年代を“子供”のように設定しても良い。また、競合する会社であるＡ社の広告は不可、アダルト不可、酒類・タバコ許可等のように個別に条件を設定しても良い。
出力結果送信部２１６は、各トイレ１の管理装置１１から出力結果を受信して集計し、当該出力回数を含む出力結果を前記提供者の端末へ送信する。
【００３９】
〈コンピュータの構成〉
なお、情報配信サーバ２、管理装置１１、コントロールユニット１４０及び端末５は、図７に示すようなコンピュータであっても良い。図７は、コンピュータの一例を示す装置構成図である。例えば、コンピュータは、ＣＰＵ（Central Processing Unit）１００１
、主記憶装置１００２、補助記憶装置１００３、通信ＩＦ（Interface）１００４、入出
力ＩＦ（Interface）１００５、ドライブ装置１００６、通信バス１００７を備えている
。ＣＰＵ１００１は、プログラムを実行することにより本実施の形態で説明する処理を行う。主記憶装置１００２は、ＣＰＵ１００１が読み出したプログラムやデータをキャッシュしたり、ＣＰＵの作業領域を展開したりする。
【００４０】
主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる設定情報などを記憶する。補助記憶装置１００３は、具体的には、ＨＤＤやＳＳＤ、フラッシュメモリ等である。主記憶装置１００２や補助記憶装置１００３は、管理装置１１、コントロールユニット１４０、情報配信サーバ２の場合、図５に示したデータ記憶部１１１，１４１や図６に示したデータ記憶部２１５として機能する。
【００４１】
通信ＩＦ１００４は、他のコンピュータ装置との間でデータを送受信する。通信ＩＦ１
００４は、具体的には、有線又は無線のネットワークカード等である。入出力ＩＦ１００５は、入出力装置と接続され、ユーザから入力を受け付けたり、ユーザへ情報を出力したりする。入出力装置は、具体的には、キーボード、マウス、ディスプレイ又はタッチパネル等である。
【００４２】
ドライブ装置１００６は、フレキシブルディスク、ＣＤ（Compact Disc）、ＤＶＤ（Digital Versatile Disc）等の記録媒体に記録されたデータを読み出したり、記録媒体にデータを書き込んだりする。以上のような構成要素が、通信バス１００７で接続されている。なお、これらの構成要素は複数設けられていてもよいし、一部の構成要素（例えば、ドライブ装置１００６）を設けないようにしてもよい。また、入出力装置がコンピュータと一体に構成されていてもよい。
【００４３】
そして、ドライブ装置で読み取り可能な可搬性の記憶媒体や、ＵＳＢメモリのような補助記憶装置、ネットワークＩＦなどを介して、本実施の形態で実行されるプログラムが提供されるようにしてもよい。そして、ＣＰＵ１００１がプログラム（ソフトウェア）を実行することにより、上記のようなコンピュータを情報配信サーバ２、管理装置１１、コントロールユニット１４０及び端末５として機能させる。
【００４４】
なお、上記のようにソフトウェアによって、管理装置１１やコントロールユニット１４０等の機能を実現するものに限らず、管理装置１１やコントロールユニット１４０等の機能を専用のハードウェアで実現した装置であっても良い。
【００４５】
ここでハードウェアは、例えば、ＦＰＧＡ［Field Programmable Gate Array］、ＡＳ
ＩＣ［Application Specific Integrated Circuit］、ＬＳＩ［Large Scale Integration］といった回路を用いても良い。また、当該ハードウェアは、ＩＣ［Integrated Circuit］、ゲートアレイ、論理回路、信号処理回路、アナログ回路といった基本的な回路を用いても良い。
【００４６】
＜情報配信方法＞
上記構成のトイレシステム１０によって実行される情報配信の方法について説明する。先ず、情報配信に先立って情報配信サーバ２が、配信情報の提供者（スポンサー）の端末５から配信情報の登録を受ける。図８は情報配信サーバ２が実行する登録処理を示す図である。
【００４７】
図８に示すように、情報配信サーバ２は、ネットワークを介して提供者の端末５と接続し、端末５からアップロードされた配信情報を受信して配信ＤＢに記憶させる(ステップ
Ｓ１０)。なお、提供者の端末５が、配信情報だけでなく、配信情報に関する属性情報を
アップロードし、情報配信サーバ２が配信情報と共に属性情報を受信しても良い。属性情報としては、車・音楽・映画・医療・ファッション等のジャンルや、提供者の会社名・ブランド名、商品名等の名称、提供者が指定するウェブサーバへのリンク情報などである。
【００４８】
次いで情報配信サーバ２は、前記配信情報の配信条件として、トイレの立地や、配信の対象者（即ちトイレの利用者、以下単に対象者とも称す）の性別、対象者の年代等の条件を端末５から受信して配信ＤＢに記憶させる（ステップＳ２０）。図１０は、配信ＤＢに記憶させる配信条件の一例を示す図である。図１０に示すように、配信情報を出力する段階や順番、時間帯、トイレの立地、性別、年代、天気、気温等の条件と配信情報とを対応付けて記憶している。なお、配信条件は、配信する条件に限らず、配信しない条件を指定するものであっても良い。例えば、葬儀場や霊園の広告の場合に病院のトイレへ配信しないことを条件としても良い。また、Ｒ１８指定の映画や広告、パチンコ、タバコ、酒の広告の場合、学校等の子供が利用するトイレへ配信しないことを条件としても良い。
【００４９】
また、情報配信サーバ２は、配信情報の配信のために前記提供者が支払う費用を示す費用情報及び配信の回数や期間等の限度を示す定限情報を取得する(ステップＳ３０)。例えば、提供者が費用情報として価格条件と配信費用の総額を入力し、情報配信サーバ２は、この価格条件に基づく金額で配信情報の出力を行う場合に、前記総額に達するまでに出力できる回数や期間、データ量等の定限情報を決定し、この費用情報と定限情報を配信ＤＢに記憶させる。また、提供者が配信情報を出力させる回数や期間、データ量等の定限情報を入力し、この定限情報に応じて前記配信情報を出力させた場合の金額を算出して費用情報とし、この費用情報と定限情報を配信ＤＢに記憶させることとしても良い。
【００５０】
図１１は、配信情報を出力する段階や順番に応じて定めた価格条件の一例を示す図である。図１１の例では、各段階に応じた価格と、順番や時間に応じた倍率が定められている。例えば、一ブースあたり一週間の価格を、第一段階３０円、第二段階２００円、第三段階５０円とし、それぞれ一番目を１．５倍、二番目を１．０倍、三番目を０．５倍としている。即ち、第二段階の一番目は３００円、二番目は２００円、三番目は１００円とする。更に、６：００〜１２：００は１．３倍、１２：００〜１８：００は０．８倍、１８：００〜６：００は１．０倍としても良い。即ち、第二段階の一番目で１２：００〜１８：００の時間帯であれば、２００×１．５×０．８＝２４０円となる。なお、各々の価格の設定は、これに限定されるものではなく、任意に設定可能である。例えば、各段階の価格を第二段階―第三段階―第一段階の順に高く設定し、更に登録を行った提供者は、第三段階や第一段階の費用を無料としても良い。
【００５１】
なお、ステップＳ１０〜Ｓ３０は、順不同であり、他の順序で実行しても良い。また、配信情報、配信条件、費用情報及び定限情報を順番に取得することに限られるものではなく、例えば、これらを一つのデータとして取得する構成でも良い。
【００５２】
次に、配信可能か否かの判定処理を行う(ステップＳ４０)。例えば、配信情報が所定のフォーマットか、配信情報の出力にかかる時間（再生時間）が所定の長さ以内か、データサイズが所定以内か等の条件を満たしているか否かによって判定する。また、情報配信サーバ２は、配信情報の内容を管理者に対して提示し、管理者が内容をチェックした結果を入力し、この入力されたチェック結果に従って配信の可否を判定するものでも良い。
【００５３】
更に、情報配信サーバ２は、配信できない画像を一つ又は複数記憶しておき、パターンマッチングによって配信できない画像が配信情報に含まれていないかを判定しても良い。また、情報配信サーバ２は、配信できない言葉を一つ又は複数記憶しておき、音声認識によって配信できない言葉が配信情報に含まれていないかを判定しても良い。
【００５４】
情報配信サーバ２は、ステップＳ４０の判定処理の結果、配信情報が配信可能でなければ(ステップＳ５０，Ｎｏ)、配信不可である旨のエラーを提供者の端末５に通知する(ス
テップＳ７０)。また、情報配信サーバ２は、配信情報が配信可能であれば(ステップＳ５０，ｙｅｓ)、前記配信条件に応じたトイレへ配信する(ステップＳ６０)。例えば、配信
条件として、東京、神奈川、中央区等のようにトイレの立地が指定されていた場合には、合致する条件のトイレをデータ記憶部２１５から抽出し、抽出した各トイレ１に出力回数１０００回等のように定限条件を付加して配信する。
【００５５】
このように情報配信サーバ２から配信情報が配信されると、各トイレ１の管理装置１１が、この配信情報を受信し、各トイレ１のトイレブース１４に配信する。このとき、配信情報に男性用トイレ、女性用トイレ、多目的トイレ等のように、配信する条件が指定されている場合には、この条件に適合した区分のトイレブース１４に配信しても良い。
【００５６】
管理装置１１から配信情報が配信されると、各トイレブース１４のコントロールユニット１４０は、この配信情報を受信し、データ記憶部１４１に記憶させる。
【００５７】
コントロールユニット１４０は、第１の動作例として、ドアロックセンサ１４３Ａによりトイレ利用者の入室が検出された場合、タイマ１４６が作動し、排便の準備ができると思われる数十秒後に配信情報の出力を開始させる。これによりモニタ１４２に広告等が表示される。この後、利用者の排便が終わり、利用者が洗浄水を流すためのレバー或は洗浄ボタンを動作させると、便器内に洗浄水が放水される共に、洗浄水排出センサ１４３Ｃが作動して制御部２に表示手段１の表示を停止するよう信号が送出される。
【００５８】
また、コントロールユニット１４０は、第２の動作例として、利用者の便座への着座に伴い、着座センサ１４３Ｂが作動すると、配信情報の出力を開始し、モニタ１４２に広告等が表示される。この後、利用者の排便が終わり便器１２から離れると、着座センサ１４３Ｂがオフとなり配信情報の出力が停止状態される。なお、配信情報の出力停止制御にあたっては洗浄水排出センサ１４３Ｃからの信号を併用してもよい。
【００５９】
このように、センサは選択的に使用すればよく、必ずしも全部使用しなくとも所定の動作を行わせることができる。ここで、センサからの信号を検出することで利用者の使用段階（初期、中期、後期）がある程度判断できるため、その段階に応じて表示手段の動作を制御する例につき、図９に示す制御フローを中心に説明する。
【００６０】
なお、利用者のトイレ使用段階は、例えば、トイレに入室したときから排便を開始するまでを第１段階とし、排便中を第２段階とし、排便終了から退室までを第３段階とする。
【００６１】
図９に示すように、コントロールユニット１４０は、まず、ステップＳ１００においてドアロックセンサ１４３Ａからの信号に基づき、ドア１４９がロックされたか否か、すなわち利用者がトイレ内に入室したか否かを判断する。ステップＳ１００でドア１４９がロックされていないと判定した場合(ステップＳ１００，Ｎｏ)、図９の処理を終了し、ドア１４９がロックされていると判定した場合、ステップＳ１１０に移行し、配信条件及び定限情報に基づいて出力する配信情報を決定する。配信条件として、時間帯や天気、気温、段階、順番が定められている場合、第１段階〜第３段階について夫々現在の時間や天候等に適合する条件の配信情報を出力するものとして決定する。これにより例えば、日中はゲーム、夜間はタバコ、晴れているときは帽子、雨のときは傘の広告を表示するといったように、配信条件に基づき現在の状況に応じた配信情報を出力できる。
【００６２】
コントロールユニット１４０は、ステップＳ１１０で決定した配信情報について、先ず第１段階の出力を開始する(ステップＳ１２０)。この第１段階において、利用者は便意を抑えつつ脱衣して排便の準備をしている最中であり、視覚用のモニタ１４２を注視する余裕がないことが考えられる。このため、配信情報として音声をスピーカから出力することとしても良い。なお、第一段階において複数の配信情報を指定の順番で出力するようにしても良く、例えば、１０秒の広告を２つ出力し、第１段階が２０秒以上あった場合には、この２つの広告を順に繰り返す。
【００６３】
次いで、コントロールユニット１４０は、ステップＳ１３０において着座センサ１４３Ｂからの信号に基づき、利用者が排便位置に達したか否か、即ち利用者が便器上に位置したか否かを判断する。コントロールユニット１４０は、利用者が便器上に位置していないと判断した場合(ステップＳ１３０，Ｎｏ)、図９の処理を終了し、便器上に位置していると判断した場合(ステップＳ１３０，Ｙｅｓ)、ステップＳ１４０に移行して第一段階の配信情報出力（音声出力）を停止するとともに、第２段階として配信情報の出力を行う(ス
テップＳ１５０)。この第２段階において利用者は、排便中であり、モニタ１４２を注視
する余裕があると考えられる。このため、コントロールユニット１４０は、配信情報として動画像及び音声をモニタ１４２から出力することとしても良い。なお、第二段階において複数の配信情報を指定の順番で出力するようにしても良く、例えば、２０秒の広告を３つ出力し、第二段階が６０秒以上あった場合には、この３つの広告を順に繰り返す。
【００６４】
そして、コントロールユニット１４０は、ステップＳ１６０において、着座センサ１４３Ｂからの信号に基づき、利用者が便器１２上から離れたか否かを判断する。コントロールユニット１４０は、利用者が着座している、即ち便器１２上から離れていないと判断した場合(ステップＳ１６０，Ｙｅｓ)、ステップＳ１６０に戻る。即ち利用者が便器１２上から離れるまでループする。また、コントロールユニット１４０は、利用者が着座していない、即ち利用者が便器１２上から離れたと判断した場合(ステップＳ１６０，Ｎｏ)、ステップＳ１７０に移行して第二段階の配信情報出力（映像出力）を停止するとともに、第３段階として配信情報の出力を行う(ステップＳ１８０)。この第３段階では、便器内に洗浄水を流して洗浄するため、この洗浄の音で音声が聞き取れないことが考えられるため、配信情報としてテロップを表示させることとしても良い。なお、第三段階において複数の配信情報を指定の順番で出力するようにしても良く、例えば、数十文字のテロップを十秒ずつ３つ出力し、第三段階が３０秒以上あった場合には、この３つのテロップを順に繰り返す。
【００６５】
図１２は、第３段階における配信情報の出力例を示す図である。図１２の例では、配信情報としてテロップ１５１を表示させている。また、テロップ１５１に加え、提供者が指定するウェブサーバへのリンク情報を配信情報として出力しても良い。図１２では、このリンク情報として、２次元バーコード１５２を表示させている。利用者が広告に興味を持った場合、利用者の携帯電話やスマートフォン等の端末で２次元バーコード１５２を読み取ってデコードし、利用者の端末が２次元バーコード１５２の示すＵＲＬに接続する。これにより利用者の端末を配信情報の提供者が指定するウェブサーバに誘導することができ、広告効果を高めることができる。なお、リンク情報は、２次元バーコードに限らず、ＵＲＬを文字列で表示しても良いし、「詳しくは○○と検索して下さい」のように検索キーワードを表示するようにしても良い。また、コントロールユニット１４０はリンク情報を表示ことに限らず、ｗｉ−ｆｉやブルートゥース（登録商標）等の近距離無線通信によって利用者の端末に送信することとしても良い。
【００６６】
なお、リンク情報は提供者が指定するウェブサーバのＵＲＬに限らず、配信情報のＩＤを含む情報配信サーバ２のアドレスとしても良い。例えば、情報配信サーバ２は、配信情報のＩＤと提供者が指定するウェブサーバのＵＲＬとを対応付けて記憶しておき、この配信情報のＩＤをパラメータとして含む情報配信サーバのアドレスをリンク情報として利用者の端末へ出力する。利用者の端末が、このリンク情報が示すＵＲＬへのアクセスを要求すると、情報配信サーバ２が、要求されたパラメータの配信情報のＩＤと対応する提供者のウェブサーバのＵＲＬへリダイレクトする構成としても良い。これにより情報配信サーバ２がリダイレクトした回数、即ち利用者がリンク情報にアクセスした回数をカウントすることができ、リンク情報の広告効果を知ることができる。
【００６７】
次に、コントロールユニット１４０は、ステップＳ１９０において、ドアロックセンサ１４３Ａからの信号に基づき、ドアロックが解除されたか否かを判断する。コントロールユニット１４０は、ドアロックが解除されていない、即ち利用者が在室中と判断した場合(ステップＳ１９０，Ｎｏ)、ステップＳ１９０に戻る、即ち利用者がトイレブース１４から退出するまでループする。また、コントロールユニット１４０は、ドアロックが解除されたと判断した場合(ステップＳ１９０，Ｙｅｓ)、ステップＳ２００に移行して第三段階の配信情報出力を停止する。
【００６８】
そして、コントロールユニット１４０は、配信情報の出力回数をカウントして、当該出力回数を含む出力結果を管理装置１１に送信し(ステップＳ２１０)、図９の処理を終了する。なお、出力回数のカウントは、例えば一つの段階で同じ配信情報を複数回繰り返して出力しても一回とカウントする。また、繰り返しに関わらず延べ回数をカウントしても良い。この図９の処理は、定期的に実行される。このため例えばステップＳ１００，Ｓ１３０の否定肢にて処理が終了した場合でも繰り返し実行される。
【００６９】
管理装置１１は、各トイレブース１４のコントロールユニット１４０から受信した出力結果を集計し、定期的に又は所定のタイミングで情報配信サーバ２へ集計した出力結果を当該トイレの識別情報と共に送信する。例えば管理装置１１は、配信情報の出力回数や出力期間、データ量等が上限に達したタイミング、即ち定限情報が示す定限を満たしたタイミングで出力結果を送信する。出力結果は、出力回数の他、出力した段階や順番、出力時の天気や気温を含んでも良い。
【００７０】
管理装置１１から出力結果を受信した情報配信サーバ２は、各トイレ１の管理装置１１から出力結果を受信して集計し、当該出力回数を含む出力結果を前記提供者の端末へ送信する。なお、出力結果は、識別情報に基づいて各トイレを識別し、各トイレの立地や利用者の年代、出力時間等の条件毎に集計して示しても良い。また、情報配信サーバ２は、各トイレ１の出力回数や出力時間、データ量、出力にかかった費用等の出力結果に基づいて、各トイレ１にポイントを付与しても良い。例えば、出力回数の１０％、出力にかかった費用の５％のように、出力結果の所定割合をポイント数に換算する。即ち出力回数が１０万回であれば１万ポイント、出力にかかった費用が１０万円であれば５千ポイントを付与する。このポイントは、広告出力の対価として換金や、トイレ１のメンテナンス費用、広告の出稿費用等に利用できる。
【００７１】
このように本実施形態では、広告代理店を介さずに配信情報の提供者がネットワークを介して容易に配信情報を登録することができる。また、配信情報を出力する段階や順番に応じて情報配信の費用を設定できる。更に、時間帯や天気、気温等に応じて出力する配信情報を設定でき、提供者の要望に柔軟に対応できる。
【符号の説明】
【００７２】
１     トイレ
２     情報配信サーバ
３     提供者端末
４     ネットワーク
１０   トイレシステム
１１   管理装置
１２   便器
１３   温水洗浄装置
１４   トイレブース
１０１ 女性用トイレ
１０２ 男性用トイレ
１０３ 多目的トイレ
１１１，１４１、２１５      データ記憶部
１１２ 配信情報取得部
１１３ レポート部
１４０ コントロールユニット
１４２ モニタ
１４３ 検出部
１４３Ａ      ドアロックセンサ
１４３Ｂ      排便位置センサ（着座センサ）
１４３Ｃ      洗浄水排出センサ
１４４ 出力制御部
１４５ 計数部
１４６ タイマ
１４９ ドア
１５１ テロップ
１５２ ２次元バーコード
２１１ 配信情報取得部
２１２ 条件取得部
２１３ 費用取得部
２１４ 配信部
【図１】
0006516349.tif 000002
【図２】
0006516349.tif 000003
【図３】
0006516349.tif 000004
【図４】
0006516349.tif 000005
【図５】
0006516349.tif 000006
【図６】
0006516349.tif 000007
【図７】
0006516349.tif 000008
【図８】
0006516349.tif 000009
【図９】
0006516349.tif 000010
【図１０】
0006516349.tif 000011
【図１１】
0006516349.tif 000012
【図１２】
0006516349.tif 000013